(57)【要約】【課題】窓ガラスに結露が発生する状況においても着実に結露を防止して安定した光信号の送受を行いうる光空間伝送装置を提供する。【解決手段】光信号を発信する発光器１１及び又は光信号を受信する受光器１２を収納した箱体に、発光器１１から送出される光ビーム１５の光路に沿って送風する送風機１３を設けたものである。送風機１３は、光空間伝送装置１０を設置した空間の空気を送るだけの簡易構造でもよいが、必要に応じて風量、風向き、吹き出し温度を自在に変えられる機構を備えていてもよい。また、送風機１３は、発光器１１及び受光器１２を収納している箱体に内蔵されてもあるいは同箱体の外側に付設されてもいずれでもよい。【選択図】　　　　図１
2004080570.tif 000002
【特許請求の範囲】
【請求項１】
光信号を発信する発光器及び又は光信号を受信する受光器を備えた光空間伝送装置において、
前記発光器から送出される光ビームの光路に沿って送風する送風機を設けたことを特徴とする光空間伝送装置。
【請求項２】
請求項１記載の光空間伝送装置において、
前記光信号は、光ビームが透過しうる透明度を有する壁体を透過して送信されるものであることを特徴とする光空間伝送装置。
【請求項３】
請求項１記載の光空間伝送装置において、
前記送風機は、前記発光器及び前記受光器を収納している箱体に内蔵されていることを特徴とする光空間伝送装置。
【請求項４】
請求項１記載の光空間伝送装置において、
前記送風機は、前記発光器及び前記受光器を収納している箱体の外側に付設したものであることを特徴とする光空間伝送装置。
【請求項５】
請求項１記載の光空間伝送装置において、
前記送風機は、風量、風向き、吹き出し温度のいずれかを変えられるものであることを特徴とする光空間伝送装置。
【請求項６】
請求項１記載の光空間伝送装置において、
前記光信号は赤外線を使用したものであることを特徴とする光空間伝送装置。
【発明の詳細な説明】
【０００１】
【発明の属する技術分野】
本発明は、建物内に設置されて窓ガラス越しに外部に光信号を伝送するのに好適な光空間伝送装置に関する。
【０００２】
【従来の技術】
従来から赤外線を使用した光ビームによる光信号を介して画像や音声等の情報を伝送する光空間伝送装置が知られている。
このような光空間伝送装置は、ケーブル布設工事等が不要であるため低コストで済み、電波の代わりに赤外線を使うため雑音に強く医療器具が誤作動せず盗聴の心配もないということから、インターネットやイントラネット等のネットワークの一部分にも利用され学校、病院等の公共施設を中心として需要が高まっている。
【０００３】
ところで、上記光空間伝送装置を、例えば２つの建物にそれぞれ対向させて設置し、これらの両者間で窓ガラス越しに光ビームを透過しながら光無線通信を行っているときに、窓ガラスに屋内と屋外との温度差によって結露が発生する場合がある。
このような窓ガラスの結露により、窓ガラスを透過する光ビームの光量が低下して光信号を介した通信に障害を与えることになる。
【０００４】
従来、これを回避するために、次のような結露防止対策が考えられている。
▲１▼空調装置により部屋全体を除湿する。
▲２▼結露防止剤をガラス面に塗布する。
▲３▼ガラス面にヒータを取り付ける（例えば、特開２０００−３１９０８）。
【０００５】
【発明が解決しようとする課題】
しかしながら、これらの結露防止方法ではコスト、効果、管理などに問題があった。
すなわち、空調装置を使用した場合、設備が大規模になる。また、結露を防止するには部屋全体の湿度、温度を下げることが必要となるため、環境への影響が大きく、人との共存が困難となる場合がある。
また、結露防止剤を使用する方法は、持続性が低く、比較的効果も小さく、メンテナンスが必要である等の課題がある。
さらに、ガラス面にヒータを取付けた場合は、光ビームの光路の障害となり、通信性能を低下させるおそれがある。
【０００６】
本発明の目的は、窓ガラスに結露が発生する状況においても、着実に結露を防止して安定した光信号の送受を行いうる光空間伝送装置を提供するものである。
【０００７】
【課題を解決するための手段】
本発明は以上の点を解決するため次の構成を採用する。
〈構成１〉
光信号を発信する発光器及び又は光信号を受信する受光器を備えた光空間伝送装置において、上記発光器から送出される光ビームの光路に沿って送風する送風機を設けたことを特徴とする光空間伝送装置。
【０００８】
〈構成２〉
構成１記載の光空間伝送装置において、上記光信号は、光ビームが透過しうる透明度を有する壁体を透過して送信されるものであることを特徴とする光空間伝送装置。
【０００９】
〈構成３〉
構成１記載の光空間伝送装置において、上記送風機は、上記発光器及び上記受光器を収納している箱体に内蔵されていることを特徴とする光空間伝送装置。
【００１０】
〈構成４〉
構成１記載の光空間伝送装置において、上記送風機は、上記発光器及び上記受光器を収納している箱体の外側に付設したものであることを特徴とする光空間伝送装置。
【００１１】
〈構成５〉
構成１記載の光空間伝送装置において、上記送風機は、風量、風向き、吹き出し温度のいずれかを変えられるものであることを特徴とする光空間伝送装置。
【００１２】
〈構成６〉
構成１記載の光空間伝送装置において、上記光信号は赤外線を使用したものであることを特徴とする光空間伝送装置。
【００１３】
【発明の実施の形態】
以下、本発明の実施の形態を具体例を用いて説明する。
図１、図２は、本発明に係わる光空間伝送装置の一実施例を示す図である。
図において光空間伝送装置１０は、赤外線を使用した光信号を発信する発光器１１、同様の光信号を受信する受光器１２等周知の光無線通信機器を備え、さらに、外方に風を送る送風機１３が設けられている。発光器１１、受光器１２及び送風機１３は、いずれも外部に対する動作部分が同じ面に露出している。
【００１４】
送風機１３は、光空間伝送装置１０を設置した空間の空気を送るだけの簡易構造でもよいが、窓ガラス１６までの距離、設置空間の気温等に応じて風量、風向き、吹き出し温度を自在に変えられる機構を備えていてもよい。また、図示したように送風機１３が発光器１１及び受光器１２を収納している箱体に予め内蔵されているものに限定されない。送風機１３を、同箱体の外側に取付けて固定したりあるいは着脱自在に付設するようにしてもよい。
【００１５】
図２は、光空間伝送装置１０が建物内に設置され、この光空間伝送装置１０の発光器１１から送出される光ビーム１５を、この建物の外に設置された他の光空間伝送装置の受信器（図示せず）に向けて窓ガラス１６越しに発信している状況を示している。
送風機１３から送出される風１９は、光ビーム１５の光路に沿って流れて窓ガラス１６の一部に吹き付けている。
【００１６】
このとき、発光器１１からの光ビーム１５と、送風機１３からの風１９とは、窓ガラス１６に対してほぼ垂直に放射しており、図４に示すように光ビーム１５の透過部分の周囲を風１９が当たっている状態となる。
【００１７】
窓ガラス１６には屋内１７と屋外１８との温度差によって結露が生じるが、窓ガラス１６の屋内１７側の表面の温度と屋内１７における気温に差が生じたときに露を結ぶことになる。したがって、窓ガラスの屋内１７側の表面温度を同屋内１７の気温とできる限り同じにしてやることによって結露が防止される。すなわち、窓ガラス１６に対し、送風機１３で屋内１７の空気を吹き付けてやることにより、上記温度差が最小限におさえられてその部分における結露が防止される。本発明では、送風機１３からの屋内１７の空気をそのまま光ビームの光路にそって送ってやるだけでよいので、きわめて経済的であるだけでなく環境にもやさしいという利点がある。
【００１８】
図３は、光空間伝送装置１０の発光器１１から送出される光ビーム１５と、送風機１３からの風１９とを、窓ガラス１６に対して斜めから放射している状況を示している。
この場合は、送風機１３からの風１９は窓ガラス１６に対して図５に示すように放物線を描くように当たっているが、その中央部を光ビーム１５が透過する状態となる。
【００１９】
なお、本発明における光空間伝送装置としては、光ビームを送受信するものに限定されず、送信のみ又は受信のみの一方向の通信形態も含むものとする。
また、本発明の光空間伝送装置は、光ビームの光路に窓ガラスが存在するところのみを対象とするものでなく、光ビームが透過しうる透明度を有しかつ結露が起こりうる、窓ガラス以外の材料からなる壁体を透過して通信する場合にも適用可能である。
さらに、本発明は、発光器と受光器が一緒に備えているものに限られず、発光器または受光器のみを備えた光空間伝送装置にも適用できるものである。
【００２０】
【発明の効果】
以上、本発明の光空間伝送装置によれば、発光器から送出される光ビームの光路に沿って送風する送風機を設けたことにより、次の効果が得られる。
送風機を使用するだけであるので、結露防止の構造が簡単で安価である。
送風によるため光通信への影響がない。
室内の空気をそのまま、結露を防止したい部分に送風するだけであるので、ヒータの設備等が不要であり、装置が小型化できる。
稼動中常に結露防止動作を行っているので、結露防止効果を持続させることができる。
送風による結露防止のため、小規模な装置で良好な効果を得ることができ、頻繁なメンテナンスも不要である。
送風機の風量、風向き、吹き出し温度を調節可能とすることにより、結露防止効果を高めることができる。
【図面の簡単な説明】
【図１】本発明に係わる光空間伝送装置の一実施例を示す正面図である。
【図２】同実施例の使用状況を示す側面図である。
【図３】同実施例の他の使用状況を示す側面図である。
【図４】図２に示した使用状況における窓ガラスの状態を示す概略図である。
【図５】図３に示した使用状況における窓ガラスの状態を示す概略図である。
【符号の説明】
１０　光空間伝送装置
１１　発光器
１２　受光器
１３　送風機
１５　光ビーム
１６　窓ガラス
１７　屋内
１８　屋外
１９　風
【図１】
2004080570.tif 000003
【図２】
2004080570.tif 000004
【図３】
2004080570.tif 000005
【図４】
2004080570.tif 000006
【図５】
2004080570.tif 000007